(57)【要約】【課題】自分と関連付けられた端末装置を容易に判別することが可能な画像形成装置を提供することを目的とする。【解決手段】端末装置と通信可能に構成された画像形成装置は、表示部と、ユーザーを識別するためのユーザー情報と、ユーザー情報に関連付けられた少なくとも１つの端末装置の宛先情報とを格納する情報格納部と、人体通信を行なってユーザーが装着する通信装置からユーザー情報を取得するユーザー情報取得部と、ネットワークに接続された少なくとも１つの端末装置のうち、ユーザー情報に関連付けられた端末装置を検出する検出部と、検出部によって検出されたユーザー情報に関連付けられた端末装置の宛先情報を宛先の候補として表示部に表示させる表示制御部と、宛先情報に対応する端末装置にデータを送信する通信部とを含む。【選択図】図１
2014003420.tif 000002
【特許請求の範囲】
【請求項１】
端末装置と通信可能に構成された画像形成装置であって、
表示部と、
ユーザーを識別するためのユーザー情報と、前記ユーザー情報に関連付けられた少なくとも１つの端末装置の宛先情報とを格納する情報格納部と、
人体通信を行なってユーザーが装着する通信装置から前記ユーザー情報を取得するユーザー情報取得部と、
ネットワークに接続された前記少なくとも１つの端末装置のうち、前記ユーザー情報に関連付けられた端末装置を検出する検出部と、
前記検出部によって検出された、前記ユーザー情報に関連付けられた端末装置の宛先情報を宛先の候補として前記表示部に表示させる表示制御部と、
前記宛先情報に対応する端末装置にデータを送信する通信部とを備える、画像形成装置。
【請求項２】
前記情報格納部は、予め前記画像形成装置に登録された端末装置の宛先情報をさらに格納し、
前記表示制御部は、前記ユーザー情報に関連付けられた端末装置が検出されなかった場合に、予め前記画像形成装置に登録された端末装置の宛先情報の一覧を前記表示部に表示させ、
前記検出部は、前記一覧から選択された宛先情報に対応する端末装置へのデータの送信指示に基づいて、前記ネットワークに接続された前記少なくとも１つの端末装置のうち、前記選択された宛先情報に対応する端末装置を検出し、
前記通信部は、前記選択された宛先情報に対応する端末装置が検出されなかった場合に、前記選択された宛先情報に対応する前記端末装置へのデータの送信を保留する、請求項１に記載の画像形成装置。
【請求項３】
前記通信部は、前記選択された宛先情報に対応する端末装置が検出されなかった後に、当該端末装置が検出された場合に、前記送信を保留したデータを当該検出された端末装置に送信する、請求項２に記載の画像形成装置。
【請求項４】
前記表示制御部は、前記一覧のうち、前記ユーザー情報に関連付けられた端末装置の宛先情報を、前記ユーザー情報に関連付けられていない別の端末装置の宛先情報とは異なる表示形態で表示させる、請求項２または３に記載の画像形成装置。
【請求項５】
人体通信を行なってユーザーによって携帯された端末装置から、当該端末装置の宛先情報を取得する端末情報取得部と、
前記ユーザー情報に基づいて、前記画像形成装置への認証処理を実行する認証部とをさらに備え、
前記検出部は、前記携帯された端末装置が、認証されたユーザーのユーザー情報を示す認証ユーザー情報に関連付けられた端末装置か否かを判断し、
前記表示制御部は、前記携帯された端末装置が、前記認証ユーザー情報に関連付けられた端末装置として検出された場合に、前記携帯された端末装置の宛先情報を宛先の候補として前記表示部に表示させ、
前記通信部は、前記携帯された端末装置が、前記認証ユーザー情報に関連付けられた端末装置として検出されなかった場合に、前記認証ユーザー情報に関連付けられた端末装置へのデータの送信を保留する、請求項１〜４のいずれか１項に記載の画像形成装置。
【請求項６】
前記通信部は、前記携帯された端末装置が前記認証ユーザー情報に関連付けられた端末装置として検出されなかった後に、前記認証されたユーザーによって携帯された端末装置が、前記認証ユーザー情報に関連付けられた端末装置として検出された場合に、前記送信を保留したデータを当該検出された端末装置に送信する、請求項５に記載の画像形成装置。
【請求項７】
端末装置と通信可能に構成された画像形成装置の制御方法であって、
ユーザーを識別するためのユーザー情報と、前記ユーザー情報に関連付けられた少なくとも１つの端末装置の宛先情報とを読み出すステップと、
人体通信を行なってユーザーが装着する通信装置から前記ユーザー情報を取得するステップと、
ネットワークに接続された前記少なくとも１つの端末装置のうち、前記ユーザー情報に関連付けられた端末装置を検出するステップと、
前記検出された前記ユーザー情報に関連付けられた端末装置の宛先情報を宛先の候補として表示するステップと、
前記宛先情報に対応する端末装置にデータを送信するステップとを含む、画像形成装置の制御方法。
【請求項８】
端末装置と通信可能に構成された画像形成装置のコンピューターに実行させる制御プログラムであって、
前記制御プログラムは、前記コンピューターに、
ユーザーを識別するためのユーザー情報と、前記ユーザー情報に関連付けられた少なくとも１つの端末装置の宛先情報とを読み出すステップと、
人体通信を行なってユーザーが装着する通信装置から前記ユーザー情報を取得するステップと、
ネットワークに接続された前記少なくとも１つの端末装置のうち、前記ユーザー情報に関連付けられた端末装置を検出するステップと、
前記検出された前記ユーザー情報に関連付けられた端末装置の宛先情報を宛先の候補として表示するステップと、
前記宛先情報に対応する端末装置にデータを送信するステップとを実行させる、画像形成装置の制御プログラム。
【請求項９】
端末装置と、
前記端末装置と通信可能に構成された画像形成装置とを備え、
前記画像形成装置は、
表示部と、
ユーザーを識別するためのユーザー情報と、前記ユーザー情報に関連付けられた少なくとも１つの端末装置の宛先情報とを格納する情報格納部と、
人体通信を行なってユーザーが装着する通信装置から前記ユーザー情報を取得するユーザー情報取得部と、
ネットワークに接続された前記少なくとも１つの端末装置のうち、前記ユーザー情報に関連付けられた端末装置を検出する検出部と、
前記検出部によって検出された前記ユーザー情報に関連付けられた端末装置の宛先情報を宛先の候補として前記表示部に表示させる表示制御部と、
前記宛先情報に対応する端末装置にデータを送信する通信部とを備える、画像形成システム。
【発明の詳細な説明】
【技術分野】
【０００１】
本発明は、人体通信を利用する画像形成装置、その制御方法、その制御プログラムおよび画像形成システムに関する。
【背景技術】
【０００２】
従来、複写（コピー）機能、読み取り（スキャナー）機能、プリンター機能等を有する複合機としてＭＦＰ（Multi  Function  Peripheral）と呼ばれる画像形成装置において、人体通信を利用した技術が知られている。また、以下のように、各種装置において人体を介した通信を行なう種々の技術が開示されている。
【０００３】
例えば、特開２００６−２７０３４５号公報（特許文献１）には、通信媒体を介して伝送させる信号を送信または受信するための信号電極と、信号の出力値を判定するための基準点を得るための基準電極とを有する情報処理装置が開示されている。情報処理装置は、他の情報処理装置との信号の送信または受信による通信が可能か否かを判定する通信可否判定手段と、通信可否判定手段により他の情報処理装置との通信が可能と判定された場合、他の情報処理装置を特定する情報を他の情報処理装置から取得する取得手段と、取得手段により取得された情報および情報が取得された時刻を、予め登録された宛先に送信する送信手段とを含む。
【０００４】
特開２００１−１９５３６８号公報（特許文献２）には、人体を介した通信を行なう携帯情報処理装置とサービス提供装置とによって構成される認証情報通信システムが開示されている。携帯情報処理装置は、人体と接触して人体を介した通信路を形成する接点と、ユーザー識別可能な固定ユーザー識別データを記憶する固定データ記憶手段と、サービス提供装置の提供するサービスに対応する可変ユーザー識別データを保持する可変データ記憶手段と、少なくとも可変ユーザー識別データに基づく認証用データを出力する出力手段とを有し、サービス提供装置は、人体と接触して人体を介した通信路を形成する接点と、認証用データに基づく認証処理結果に基づいてサービスの実行を制御する制御手段とを有する。
【先行技術文献】
【特許文献】
【０００５】
【特許文献１】特開２００６−２７０３４５号公報
【特許文献２】特開２００１−１９５３６８号公報
【発明の概要】
【発明が解決しようとする課題】
【０００６】
オフィスなどでは、画像形成装置と共用の複数の端末装置とがネットワーク上で接続されており、ユーザーが画像形成装置に格納された画像データなどを共用の端末装置に送信する場面が想定される。このような場合、ネットワーク上には複数の端末装置が存在しているため、どれが自分と関連付けられた（自分が使用したい）端末装置なのかを容易に判別することは困難となる。例えば、ユーザーは、自分と関連付けられた端末装置のＩＤ（identification）などを覚えておく必要がある。また、自分の覚えやすい名前などを自分と関連付けられた端末装置に登録したい場合であっても、共用の端末装置を使用する場合には、このような登録が難しい場合もある。上記文献は、このような問題点について考慮されたものではない。
【０００７】
本発明は、上記のような問題点を解決するためになされたものであって、ユーザーが自分と関連付けられた端末装置を容易に判別することが可能な画像形成装置、その制御方法、その制御プログラムおよび画像形成システムを提供することを目的とする。
【課題を解決するための手段】
【０００８】
ある実施の形態に従うと、端末装置と通信可能に構成された画像形成装置が提供される。画像形成装置は、表示部と、ユーザーを識別するためのユーザー情報と、ユーザー情報に関連付けられた少なくとも１つの端末装置の宛先情報とを格納する情報格納部と、人体通信を行なってユーザーが装着する通信装置からユーザー情報を取得するユーザー情報取得部と、ネットワークに接続された少なくとも１つの端末装置のうち、ユーザー情報に関連付けられた端末装置を検出する検出部と、検出部によって検出されたユーザー情報に関連付けられた端末装置の宛先情報を宛先の候補として表示部に表示させる表示制御部と、宛先情報に対応する端末装置にデータを送信する通信部とを含む。
【０００９】
好ましくは、情報格納部は、予め画像形成装置に登録された端末装置の宛先情報をさらに格納する。表示制御部は、ユーザー情報に関連付けられた端末装置が検出されなかった場合に、予め画像形成装置に登録された端末装置の宛先情報の一覧を表示部に表示させる。検出部は、一覧から選択された宛先情報に対応する端末装置へのデータの送信指示に基づいて、ネットワークに接続された少なくとも１つの端末装置のうち、選択された宛先情報に対応する端末装置を検出する。通信部は、選択された宛先情報に対応する端末装置が検出されなかった場合に、選択された宛先情報に対応する端末装置へのデータの送信を保留する。
【００１０】
好ましくは、通信部は、選択された宛先情報に対応する端末装置が検出されなかった後に、当該端末装置が検出された場合に、送信を保留したデータを当該検出された端末装置に送信する。
【００１１】
好ましくは、表示制御部は、一覧のうち、ユーザー情報に関連付けられた端末装置の宛先情報を、ユーザー情報に関連付けられていない別の端末装置の宛先情報とは異なる表示形態で表示させる。
【００１２】
好ましくは、画像形成装置は、人体通信を行なってユーザーによって携帯された端末装置から、当該端末装置の宛先情報を取得する端末情報取得部と、ユーザー情報に基づいて、画像形成装置への認証処理を実行する認証部とをさらに含む。検出部は、携帯された端末装置が、認証されたユーザーのユーザー情報を示す認証ユーザー情報に関連付けられた端末装置か否かを判断する。表示制御部は、携帯された端末装置が、認証ユーザー情報に関連付けられた端末装置として検出された場合に、携帯された端末装置の宛先情報を宛先の候補として表示部に表示させる。通信部は、携帯された端末装置が、認証ユーザー情報に関連付けられた端末装置として検出されなかった場合に、認証ユーザー情報に関連付けられた端末装置へのデータの送信を保留する。
【００１３】
好ましくは、通信部は、携帯された端末装置が認証ユーザー情報に関連付けられた端末装置として検出されなかった後に、認証されたユーザーによって携帯された端末装置が、認証ユーザー情報に関連付けられた端末装置として検出された場合に、送信を保留したデータを当該検出された端末装置に送信する。
【００１４】
別の実施の形態に従うと、端末装置と通信可能に構成された画像形成装置の制御方法が提供される。画像形成装置の制御方法は、ユーザーを識別するためのユーザー情報と、ユーザー情報に関連付けられた少なくとも１つの端末装置の宛先情報とを読み出すステップと、人体通信を行なってユーザーが装着する通信装置からユーザー情報を取得するステップと、ネットワークに接続された少なくとも１つの端末装置のうち、ユーザー情報に関連付けられた端末装置を検出するステップと、検出されたユーザー情報に関連付けられた端末装置の宛先情報を宛先の候補として表示するステップと、宛先情報に対応する端末装置にデータを送信するステップとを含む。
【００１５】
さらに別の実施の形態に従うと、端末装置と通信可能に構成された画像形成装置のコンピューターに実行させる制御プログラムが提供される。制御プログラムは、コンピューターに、ユーザーを識別するためのユーザー情報と、ユーザー情報に関連付けられた少なくとも１つの端末装置の宛先情報とを読み出すステップと、人体通信を行なってユーザーが装着する通信装置からユーザー情報を取得するステップと、ネットワークに接続された少なくとも１つの端末装置のうち、ユーザー情報に関連付けられた端末装置を検出するステップと、検出されたユーザー情報に関連付けられた端末装置の宛先情報を宛先の候補として表示するステップと、宛先情報に対応する端末装置にデータを送信するステップとを実行させる。
【００１６】
さらに別の実施の形態に従うと、端末装置と、端末装置と通信可能に構成された画像形成装置とを含む画像形成システムが提供される。画像形成装置は、表示部と、ユーザーを識別するためのユーザー情報と、ユーザー情報に関連付けられた少なくとも１つの端末装置の宛先情報とを格納する情報格納部と、人体通信を行なってユーザーが装着する通信装置からユーザー情報を取得するユーザー情報取得部と、ネットワークに接続された少なくとも１つの端末装置のうち、ユーザー情報に関連付けられた端末装置を検出する検出部と、検出部によって検出されたユーザー情報に関連付けられた端末装置の宛先情報を宛先の候補として表示部に表示させる表示制御部と、宛先情報に対応する端末装置にデータを送信する通信部とを含む。
【発明の効果】
【００１７】
以上のように、ある局面によれば、ユーザーが自分と関連付けられた端末装置を容易に判別することが可能となる。
【図面の簡単な説明】
【００１８】
【図１】本実施の形態に従う画像形成システムの構成を示す概略図である。
【図２】本実施の形態に従う画像形成装置のハードウェア構成を示すブロック図である。
【図３】本実施の形態に従う端末装置のハードウェア構成を示すブロック図である。
【図４】本実施の形態に従う通信装置のハードウェア構成を示すブロック図である。
【図５】本実施の形態に従う画像形成装置の機能構成を示すブロック図である。
【図６】本実施の形態に従うメモリーが有するユーザーと端末装置との関係を示すテーブルである。
【図７】本発明の実施の形態に従う画像形成装置において実行される動作例（その１）の処理手順を示すフローチャートである。
【図８】本実施の形態に従う画像形成装置が提供するユーザーインターフェイス画面１０００の一例である。
【図９】本実施の形態に従う画像形成装置が提供するユーザーインターフェイス画面１１００の一例である。
【図１０】本実施の形態に従う画像形成装置が提供するユーザーインターフェイス画面１２００の一例である。
【図１１】本実施の形態に従う画像形成装置において実行される動作例（その２）の処理手順を示すフローチャートである。
【図１２】本実施の形態に従う画像形成装置が、人体通信を介してユーザーと端末装置と通信することを示すイメージ図である。
【発明を実施するための形態】
【００１９】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２０】
＜Ａ．システムの全体構成＞
まず、本発明の実施の形態に従う画像形成システム１の全体構成および動作概要について説明する。図１は、本実施の形態に従う画像形成システムの構成を示す概略図である。
【００２１】
図１を参照して、本発明の実施の形態に従う画像形成システム１は、画像形成装置１０と、端末装置２０と、通信装置３０と、アンテナ４０と、画像形成装置１０とアンテナ４０とを接続する通信ケーブル５０と、ネットワーク６０とを含む。
【００２２】
画像形成装置１０は、たとえば、複数の原稿を順次搬送するための原稿搬送機能や自動で両面コピーを行うための再搬送機能などを有するディジタル複合機である。
【００２３】
画像形成装置１０と端末装置２０Ａ、２０Ｂ、２０Ｃ（以下「端末装置２０」と総称する。）とは、ネットワーク６０を介して互いに通信可能に構成されており、互いにデータが送受信される。端末装置２０は、例えば、タブレット端末、ＰＤＡ（Personal  Digital  Assistance）などの携帯情報機器である。
【００２４】
通信装置３０は、ユーザーに装着された、人体通信が可能な通信装置である。具体的には、通信装置内部にバッテリーが格納されており、そのバッテリーにより電界を発生させて、人体を介してマットタイプ式のアンテナ４０との間でデータの授受を行なう。また、通信装置３０は、各自のユーザーを識別するためのユーザー情報を記憶している。
【００２５】
アンテナ４０は、人体を介して伝送されるデータを受信する。そして、受信したデータは、通信ケーブル５０を介して画像形成装置１０本体に送信される。アンテナ４０は、例えば、画像形成装置１０の操作パネルの前に配置されることにより、当該アンテナ４０で通信装置３０からのデータを受信して、ユーザーが画像形成装置１０の正面（前）に立ったことを検出することができる。なお、アンテナ４０は、通信ケーブル５０を介さずに無線通信により画像形成装置１０本体とデータの送受信を行なってもよい。
【００２６】
このような構成により、通信装置３０を装着したユーザーがアンテナ４０の上に立つと、画像形成装置１０は、アンテナ４０を介して通信装置３０からユーザーを識別するためのユーザー情報を取得する。画像形成装置１０は、操作パネルを介して、ユーザーから端末装置２０への画像データの送信設定を受け付ける。画像形成装置１０は、送信設定を受け付けると、当該取得したユーザー情報に基づいて、予めユーザー情報に関連付けられた端末装置２０をネットワーク６０上において検索する。検索した結果、ユーザー情報に関連付けられた端末装置２０が検出された場合には、画像形成装置１０は、当該検出された端末装置２０の宛先情報を操作パネルのディスプレイに表示する。そして、ユーザーから宛先情報に対応する端末装置２０への送信指示を受け付けると、画像形成装置１０は、当該端末装置２０に画像データを送信する。
【００２７】
これにより、ユーザーはアンテナ４０上に立って、操作パネルでデータの送信設定を行なうと、自動的に自分と関連付けられた端末装置２０がディスプレイに表示されるため、容易に自分と関連付けられた端末装置２０にデータを送信することができる。その他、画像形成装置１０の具体的な動際の詳細は後述する。
【００２８】
＜Ｂ．ハードウェア構成＞
本実施の形態に従う画像形成システム１に含まれる各装置のハードウェア構成について説明する。
【００２９】
（ｂ１．画像形成装置１０）
図２は、本実施の形態に従う画像形成装置１０のハードウェア構成を示すブロック図である。
【００３０】
図２を参照して、画像形成装置１０は、ＣＰＵ（Central Processing Unit）１００と、メモリー１１０と、通信インターフェイス（Ｉ／Ｆ）１２０と、スキャナー１３０と、プリンター１４０と、ネットワークインターフェイス（Ｉ／Ｆ）１５０と、操作パネル１６０とを含む。
【００３１】
ＣＰＵ１００は、メモリー１１０に格納されたプログラムを読み出して実行することで、画像形成装置１０の各部の動作を制御する。より詳細にはＣＰＵ１００は、当該プログラムを実行することによって、後述する画像形成装置１０の処理（ステップ）の各々を実現する。ＣＰＵ１００は、例えば、マイクロプロセッサである。なお、当該ハードウェアは、ＣＰＵ以外のＦＰＧＡ（Field  Programmable  Gate  Array）、ＡＳＩＣ（Application  Specific  Integrated  Circuit）およびその他の演算機能を有する回路などであってもよい。
【００３２】
メモリー１１０は、ＲＡＭ（Random  Access  Memory）、ＲＯＭ（Read-Only  Memory）、ハードディスクなどによって実現される。より具体的には、ＲＯＭは、ＣＰＵ１００で実行されるプログラムを予め格納し、ＲＡＭは、ＣＰＵ１００のプログラム部分の実行に必要なデータを一時的に記憶する。ハードディスクは、比較的大容量のデータを不揮発的に格納することができる。
【００３３】
通信インターフェイス１２０は、マットタイプ式のアンテナ４０との間でデータを送受信する。通信インターフェイス１２０は、アンテナ４０を介して通信装置３０（または端末装置２０）からデータを受信する。
【００３４】
スキャナー１３０は、原稿から画像情報を読取って画像データを生成する。この画像データは、メモリー１１０に記憶される。より具体的には、スキャナー１３０は、プラテンガラスに載置された原稿に向けて光源から光を照射するとともに、原稿から反射した光を撮像素子などによって受光することで、原稿の画像情報を読取る。
【００３５】
プリンター１４０は、スキャナー１３０で読取られた画像データや、ネットワークインターフェイス１５０によって受信された画像データを紙媒体に画像形成（プリント）する。また、プリンター１４０は、所定の印刷ジョブを実行する。
【００３６】
ネットワークインターフェイス１５０は、ネットワーク６０に接続され、端末装置２０との間で電子的にデータなどを送受信する。
【００３７】
操作パネル１６０は、操作メニューやジョブ実行状態などの操作情報をユーザーに提示するとともに、ユーザーによる押下（接触）に応じてユーザー指示を受付けるユーザーインターフェイスである。より具体的には、操作パネル１６０は、入力部としてのキー入力部と、操作画面を表示するディスプレイと一体的に構成された入力部としてのタッチパネルとを含む。
【００３８】
（ｂ２．端末装置２０）
図３は、本実施の形態に従う端末装置２０のハードウェア構成を示すブロック図である。
【００３９】
図３を参照して、端末装置２０は、端末装置２０の各部の動作を制御するためのＣＰＵ２００と、ＣＰＵ２００によって実行されるプログラム、各種データを格納するためのメモリー２１０と、表示部としての機能を有するディスプレイ２２０と、ネットワーク６０を介して画像形成装置１０とデータを送受信するためのネットワークインターフェイス２３０と、人体を媒体とした通信である人体通信を行なうための通信ユニット２４０と、ディスプレイ２２０上に設けられ入力部としての機能を有するタッチパネル２５０とを含む。なお、メモリー２１０には、端末装置２０の宛先情報などが格納されている。
【００４０】
ＣＰＵ２００は、端末装置２０を携帯したユーザーが画像形成装置１０の周辺に設置されたマットタイプ式のアンテナ４０に立ったことで、画像形成装置１０と人体を介した通信可能な状態となったことを検知すると、メモリー２１０に格納された端末装置２０の宛先情報などを通信ユニット２４０を介して送信する。
【００４１】
（ｂ３．通信装置３０）
図４は、本実施の形態に従う通信装置３０のハードウェア構成を示すブロック図である。
【００４２】
図４を参照して、通信装置３０は、通信装置３０の各部の動作を制御するためのＣＰＵ３００と、ＣＰＵ３００によって実行されるプログラム、各種データを格納するためのメモリー３１０と、人体を媒体とした通信である人体通信を行なうための通信ユニット３２０とを含む。なお、メモリー３１０には、ユーザー情報などが格納されている。
【００４３】
ＣＰＵ３００は、通信装置３０を装着したユーザーが画像形成装置１０の周辺に設置されたマットタイプ式のアンテナ４０に立ったことで、画像形成装置１０と人体を介した通信が可能な状態となったことを検知すると、メモリー３１０に格納されたユーザー情報を通信ユニット３２０を介して送信する。
【００４４】
＜Ｃ．機能構成＞
図５は、本実施の形態に従う画像形成装置１０の機能構成を示すブロック図である。
【００４５】
図５を参照して、画像形成装置１０は、主たる機能構成として、ユーザー情報取得部１０２と、検出部１０３と、表示制御部１０４と、通信部１０５と、端末情報取得部１０６と、認証部１０７とを含む。これらの構成は、基本的には、画像形成装置１０のＣＰＵ１００がメモリー１１０に格納されたプログラムを実行し、画像形成装置１０の構成要素へ指令を与えることなどによって実現される。すなわち、ＣＰＵ１００は画像形成装置１０の動作全体を制御する制御部としての機能を有する。また、画像形成装置１０は、情報格納部としてのメモリー１１０を含む。なお、これらの機能構成の一部または全部はハードウェアで実現されていてもよい。
【００４６】
メモリー１１０は、ユーザーを識別するためのユーザー情報と、ユーザー情報に関連付けられた少なくとも１つの端末装置２０の宛先情報とを格納する。メモリー１１０は、例えば、図６のようなユーザー情報に対応して設けられたテーブルを有している。
【００４７】
図６は、本実施の形態に従うメモリー１１０が有するユーザーと端末装置２０との関係を示すテーブルである。
【００４８】
図６を参照すると、端末装置２０とユーザーとが関連付けられていることが示されている。例えば、端末装置２０Ａには、ユーザーＢ、Ｃが関連付けられている。また、同様に、端末装置２０Ｂには、ユーザーＡが関連付けられており、端末装置２０Ｃには、ユーザーＡ、Ｂが関連付けられている。換言すると、当該テーブルは、ユーザーを識別するためのユーザー情報（例えば、ユーザーＩＤ）と、端末装置２０を識別するための端末情報（例えば、端末ＩＤ）と、端末装置２０の宛先情報（例えば、ＩＰアドレス、メールアドレスなど）とが互いに関連付けられていることを示している。
【００４９】
メモリー１１０は、別の局面では、予め登録された端末装置２０の宛先情報がさらに格納されていてもよい。予め登録された端末装置２０の宛先情報は、所定のユーザー情報に関連付けられた端末装置２０の宛先情報であってもよいし、ユーザー情報に全く関連付けられていない端末装置２０の宛先情報であってもよい。
【００５０】
ユーザー情報取得部１０２は、人体通信を行なってユーザーが装着する通信装置３０からユーザー情報を取得する。より具体的には、ユーザー情報取得部１０２は、通信インターフェイス１２０およびアンテナ４０を介して、通信ユニット２４０から人体を媒体としてユーザーが装着している通信装置３０のメモリー３１０に格納されたユーザー情報を取得する。
【００５１】
検出部１０３は、ネットワーク６０に接続された少なくとも１つの端末装置２０のうち、ユーザー情報に関連付けられた端末装置２０を検出する。より具体的には、検出部１０３は、メモリー１１０を参照して、ユーザー情報に関連付けられた端末装置２０の宛先情報に基づいて、ネットワークインターフェイス１５０を介してネットワーク６０上を検索することによって、当該端末装置２０を検出する。
【００５２】
検出部１０３は、別の局面では、ネットワーク６０に接続された少なくとも１つの端末装置２０のうち、ユーザーから操作パネル１６０を介して選択された宛先情報に対応する端末装置２０を検出する。検出部１０３は、さらに別の局面では、ユーザーによって携帯された端末装置２０が、ユーザー情報に関連付けられた端末装置２０か否かを判断する。
【００５３】
表示制御部１０４は、検出部１０３によってユーザー情報に関連付けられた端末装置２０が検出された場合には、検出された当該端末装置２０の宛先情報を宛先の候補として操作パネル１６０のディスプレイに表示させる。
【００５４】
表示制御部１０４は、別の局面では、検出部１０３によってユーザー情報に関連付けられた端末装置２０が検出されなかった場合には、予め画像形成装置１０（例えば、メモリー１１０）に登録された端末装置２０の宛先情報の一覧をディスプレイに表示させる。さらに、表示制御部１０４は、当該一覧のうち、ユーザー情報に関連付けられた端末装置２０の宛先情報を、ユーザー情報に関連付けられていない別の端末装置２０の宛先情報とは異なる表示形態で表示させる。表示制御部１０４は、さらに別の局面では、携帯された端末装置２０の宛先情報を宛先の候補としてディスプレイに表示させる。
【００５５】
通信部１０５は、宛先情報に対応する端末装置２０にデータを送信する。通信部１０５は、ある局面において、ユーザーによって選択された宛先情報に対応する端末装置２０が検出されなかった場合に、当該端末装置２０へのデータの送信を保留する。通信部１０５は、送信を保留したデータを一時的にメモリー１１０に格納してもよい。さらに、通信部１０５は、選択された宛先情報に対応する端末装置２０が検出されなかった後に、当該端末装置２０が検出された場合に、送信を保留したデータを当該端末装置２０に送信する。換言すると、通信部１０５は、送信対象とする端末装置２０が検出されるまでデータの送信を保留する。
【００５６】
端末情報取得部１０６は、人体通信を行なってユーザーによって携帯された端末装置から、当該携帯された端末装置２０の宛先情報を取得する。より具体的には、端末情報取得部１０６は、通信インターフェイス１２０およびアンテナ４０を介して、人体を媒体としてユーザーが携帯している端末装置２０のメモリー２１０に格納された端末装置２０の宛先情報を取得する。また、端末情報取得部１０６は、さらに、端末装置２０の端末情報（端末ＩＤ）を取得してもよい。
【００５７】
認証部１０７は、ユーザー情報に基づいて、画像形成装置１０への認証処理を実行する。より具体的には、認証部１０７は、通信インターフェイス１２０およびアンテナ４０を介して取得したユーザー情報に基づいて、ユーザーを認証する。
【００５８】
通信部１０５は、別の局面において、携帯された端末装置２０が、認証されたユーザーのユーザー情報（以下「認証ユーザー情報」とも称す。）に関連付けられた端末装置２０として検出されなかった後に、その認証されたユーザーによって携帯された端末装置２０が、認証ユーザー情報に関連付けられた端末装置２０として検出された場合に、送信を保留したデータを当該検出された端末装置２０に送信する。
【００５９】
＜Ｄ．動作例＞
本実施の形態に従う画像形成装置１０が実行する動作例の処理手順について説明する。
【００６０】
（ｄ１．動作例（その１））
図７は、本発明の実施の形態に従う画像形成装置１０において実行される動作例（その１）の処理手順を示すフローチャートである。なお、ユーザーは人体通信が可能な通信装置３０を装着しているものとする。これは、以下の動作例（その２）においても同様である。
【００６１】
図７を参照して、ＣＰＵ１００は、ユーザーがアンテナ４０上に立ったとき、人体通信を介してユーザーを識別するためのユーザー情報を取得する（ステップＳ１０２）。より具体的には、ＣＰＵ１００は、通信インターフェイス１２０およびアンテナ４０を介して、ユーザーが装着している通信装置３０から送信されたユーザー情報を取得する。
【００６２】
次に、ＣＰＵ１００は、操作パネル１６０を介してユーザーから所定のデータを送信するための送信設定を受け付けたか否かを判断する（ステップＳ１０４）。より具体的には、ＣＰＵ１００は、送信しようとしている画像データの選択と、選択された画像データのフォーマット、解像度などの設定とを受け付けたか否かを判断する。
【００６３】
ＣＰＵ１００は、送信設定を受け付けていない場合には（ステップＳ１０４においてＮＯの場合）、ステップＳ１０４の処理を繰り返す。これに対して、ＣＰＵ１００は、送信設定を受け付けた場合には（ステップＳ１０４においてＹＥＳの場合）、ユーザーに関連付けられた端末装置２０がネットワーク６０上に存在するか否かを判断する（ステップＳ１０６）。より具体的には、ＣＰＵ１００は、ネットワークインターフェイス１５０を介してネットワーク６０上を検索することで、通信装置３０から取得したユーザー情報に関連付けられた端末装置２０が検出されたか否かを判断する。このとき、ＣＰＵ１００は、メモリー１１０に格納されているテーブルを参照して、ユーザーに関連付けられた端末装置２０の宛先情報に基づいて、ネットワーク６０上を検索する。ここで、例えば、当該端末装置２０が検出されない場合としては、ユーザー情報に関連付けられた端末装置２０の電源が切れている場合や、そもそも、ユーザー情報と関連付けられた端末装置２０がネットワーク６０上に存在しない場合などである。
【００６４】
当該端末装置２０が検出されない場合には（ステップＳ１０６においてＮＯの場合）、ＣＰＵ１００は、後述するステップＳ１１８以降の処理を実行する。
【００６５】
これに対して、当該端末装置２０が検出された場合には（ステップＳ１０６においてＹＥＳの場合）、ＣＰＵ１００は、例えば、以下の図８のように、操作パネル１６０のディスプレイに当該端末装置２０の宛先情報を表示する（ステップＳ１０８）。
【００６６】
図８は、本実施の形態に従う画像形成装置１０が提供するユーザーインターフェイス画面１０００の一例である。
【００６７】
図８を参照して、ユーザーインターフェイス画面１０００は、検出された端末装置２０をユーザーに通知するメッセージ１０１０と、当該端末装置２０を宛先に設定するための宛先キー１０２０、１０２２とを含む。ユーザーは、宛先キー１０２０を選択（押下）することで、選択された宛先キーに対応する宛先を画像データを送信するための宛先として設定する。宛先キー１０２０には、ユーザーが自分と関連付けられた端末装置２０を容易に認識できるように、例えば、端末装置２０の宛先、端末ＩＤ、名前などの情報が表示される。なお、図８では、例えば、ユーザーＡがアンテナ４０の上に立って、送信設定を行っている場合を示しており、図６のテーブルの例から、ユーザーＡに関連付けられた端末装置２０Ｂ、２０Ｃの宛先である宛先Ｂと、宛先Ｃとが表示されている。
【００６８】
再び、図７を参照して、ＣＰＵ１００は、操作パネル１６０を介してユーザーから宛先の選択を受け付けたか否かを判断する（ステップＳ１１０）。より具体的には、図７の例に照らすと、ＣＰＵ１００は、ユーザーインターフェイス画面１０００において、宛先キー１０２０または１０２２が押下されたか否かを判断する。
【００６９】
ＣＰＵ１００は、当該選択を受け付けていない場合には（ステップＳ１１０においてＮＯの場合）、ステップＳ１１０の処理を繰り返す。ＣＰＵ１００は、当該選択を受け付けた場合には（ステップＳ１１０においてＹＥＳの場合）、選択された宛先を画像データを送信する宛先として設定する（ステップＳ１１２）。ＣＰＵ１００は、操作パネル１６０を介してユーザーから画像データの送信指示を受け付けたか否かを判断する（ステップＳ１１４）。より具体的には、ＣＰＵ１００は、以下のようなユーザーインターフェイス画面１１００において、ユーザーからの当該送信指示を受け付ける。
【００７０】
図９は、本実施の形態に従う画像形成装置１０が提供するユーザーインターフェイス画面１１００の一例である。
【００７１】
図９を参照して、ユーザーインターフェイス画面１１００は、端末装置２０（本例では、端末装置２０Ｂ）に送信することを確認するメッセージ１１１０と、送信ボタン１１２０とを含む。ユーザーは、１１２０を選択（押下）することで、端末装置２０Ｂへの画像データの送信命令を画像形成装置１０に行なう。なお、図９では、例えば、ユーザーＡが、図８において宛先Ｂ（宛先キー１０２０）を選択した場合を示しており、宛先キー１０２０に対応する端末装置２０Ｂへの送信確認画面が表示されている。
【００７２】
再び、図７を参照して、ＣＰＵ１００は、ユーザーから送信指示を受け付けていない場合には（ステップＳ１１４においてＮＯの場合）、ステップＳ１１４の処理を繰り返す。これに対して、ＣＰＵ１００は、ユーザーから送信指示を受け付けた場合には（ステップＳ１１４においてＹＥＳの場合）、ネットワークインターフェイス１５０を介して、送信先の端末装置２０（図８の場合は、端末装置２０Ｂ）に画像データを送信する（ステップＳ１１６）。そして、ＣＰＵ１００は、処理を終了する。
【００７３】
次に、ステップＳ１１８からの処理について説明する。ユーザー情報に関連付けられた端末装置２０が存在しない場合には（ステップＳ１０６においてＮＯの場合）、ＣＰＵ１００は、ネットワーク６０上に存在し、かつ画像形成装置１０に予め登録されている全ての端末装置２０の宛先情報の一覧を操作パネル１６０のディスプレイに表示する（ステップＳ１１８）。
【００７４】
図１０は、本実施の形態に従う画像形成装置１０が提供するユーザーインターフェイス画面１２００の一例である。
【００７５】
図１０を参照して、ユーザーインターフェイス画面１２００は、宛先情報の一覧として、画像形成装置１０（メモリー１１０）に予め登録された端末装置２０に対応する宛先キー１２１０〜１２６０を含む。ユーザーは、宛先キー１２１０〜１２６０のいずれかを選択（押下）することで、選択された宛先キーに対応する宛先を画像データを送信するための宛先として設定する。
【００７６】
ここで、一覧の中に、ユーザー情報に関連付けられた端末装置２０が登録されている場合には、当該端末装置２０に対応する宛先キーが強調表示される。すなわち、ＣＰＵ１００は、メモリー１１０を参照して、ユーザーに関連付けられている端末装置２０の宛先キーを強調表示する。図１０では、例えば、ユーザーＡが端末装置２０Ｂおよび端末装置２０Ｃに関連付けられていることを示している。したがって、ユーザーは、自分と関連付けられている端末装置２０を容易に把握することができる。
【００７７】
再び、図７を参照して、ＣＰＵ１００は、操作パネル１６０を介して、宛先の選択を受け付けたか否かを判断する（ステップＳ１２０）。より具体的には、ＣＰＵ１００は、ユーザーインターフェイス画面１２００において、宛先キー１２１０〜１２６０のいずれかが押下されたか否かを判断する。ＣＰＵ１００は、当該選択を受け付けていない場合には（ステップＳ１２０においてＮＯの場合）、ステップＳ１２０の処理を繰り返す。ＣＰＵ１００は、当該選択を受け付けた場合には（ステップＳ１２０においてＹＥＳの場合）、選択された宛先を画像データを送信する宛先として設定する（ステップＳ１２２）。
【００７８】
次に、ＣＰＵ１００は、操作パネル１６０を介してユーザーから画像データの送信指示を受け付けたか否かを判断する（ステップＳ１２４）。より具体的には、ＣＰＵ１００は、ユーザーインターフェイス画面１０００のような画面を操作パネル１６０のディスプレイに表示して、ユーザーからの送信指示を受け付ける。
【００７９】
ＣＰＵ１００は、ユーザーから送信指示を受け付けていない場合には（ステップＳ１２４においてＮＯの場合）、ステップＳ１２４の処理を繰り返す。これに対して、ＣＰＵ１００は、ユーザーから送信指示を受け付けた場合には（ステップＳ１２４においてＹＥＳの場合）、ネットワーク６０上を検索することで、宛先設定された送信先の端末装置２０が検出されたか否かを判断する（ステップＳ１２６）。これは、ユーザーが画像形成装置１０に予め登録されている端末装置２０の宛先情報の一覧から、データを送信する宛先を決定するため、送信先の端末装置２０の電源が切れている場合のように、画像データを端末装置２０に送信できない場合があることを考慮する必要がある。そこで、ＣＰＵ１００は、ステップＳ１２６においてネットワーク６０上において、宛先設定された端末装置２０の検出処理を行なう。
【００８０】
送信先の端末装置２０が検出された場合には（ステップＳ１２６においてＹＥＳの場合）、送信先の端末装置２０に画像データを送信する（ステップＳ１１６）。そして、ＣＰＵ１００は、処理を終了する。
【００８１】
これに対して、送信先の端末装置２０が検出されなかった場合には（ステップＳ１２６においてＮＯの場合）、ＣＰＵ１００は、当該端末装置２０への画像データの送信を保留する（ステップＳ１２８）。より具体的には、ＣＰＵ１００は、送信しようとしている画像データを、メモリー１１０に一時的に格納する。そして、ＣＰＵ１００は、ステップＳ１２６からの処理を繰り返す。すなわち、ＣＰＵ１００は、画像形成装置１０と宛先設定された端末装置２０との通信状態を監視して、ネットワーク６０上において、当該端末装置２０が検出された場合に、送信保留していた画像データを当該端末装置２０に送信する。
【００８２】
上記によると、ユーザーに関連付けられた端末装置２０がネットワーク６０から検出された場合には、自動的に当該端末装置２０の宛先キーがディスプレイに表示される。したがって、ユーザーは宛先キーを選択することによって、容易に自分と関連付けられた端末装置２０を把握でき、かつ画像データを送信することができる。
【００８３】
また、端末装置２０の電源が切られているなどにより、ユーザーと関連付けられた端末装置２０がネットワーク６０から検出されなかった場合には、画像形成装置１０に登録済みの端末装置２０が一覧表示されるとともに、ユーザーと関連付けられた端末装置２０が強調表示される。したがって、ユーザーは、自分と関連付けられた端末装置２０がどれであるかを容易に把握することができる。そして、ユーザーは、例えば、強調表示された自分と関連付けられた端末装置２０を送信先として設定し、送信処理を行なっておけば、画像形成装置１０は当該端末装置２０を検出した場合に自動的に画像データを送信するため、再度送信操作を行なう手間を省くこともできる。
【００８４】
（ｄ２．動作例（その２））
図１１は、本実施の形態に従う画像形成装置１０において実行される動作例（その２）の処理手順を示すフローチャートである。
【００８５】
図１２は、本実施の形態に従う画像形成装置１０が、人体通信を介してユーザーのおよび端末装置２０と通信することを示すイメージ図である。
【００８６】
動作例（その１）では、画像形成装置１０が、ネットワーク６０上を検索することでユーザー情報に関連付けられた端末装置２０を検出する場合について説明した。動作例（その２）では、画像形成装置１０が、人体通信を介して、ユーザー情報に関連付けられており、かつユーザーが携帯している端末装置２０を検出する場合について説明する。
【００８７】
概略として、図１において、ユーザーが端末装置２０を携帯した状態で、アンテナ４０の上に立ったとき、画像形成装置１０は、図１２に示すように、人体通信を行なって通信装置３０からユーザー情報を取得し、当該携帯された端末装置２０から端末装置２０の宛先情報を取得する。画像形成装置１０は、取得したユーザー情報に基づいて、ユーザー認証処理を実行する。そして、画像形成装置１０は、所定の送信設定をユーザーから受け付けて、メモリー１１０を参照することで、当該携帯された端末装置２０をユーザー情報に関連付けられた端末装置２０として検出した場合には、当該端末装置２０に画像データを送信する。なお、この場面では、端末装置２０は、ネットワーク６０に接続されていなくともよい。以下、画像形成装置１０が実行する具体的な処理について説明する。
【００８８】
図１１を参照して、ＣＰＵ１００は、ユーザーがアンテナ４０の上に立ったとき、人体通信を介してユーザー情報を取得するとともに、ユーザー認証を実行して、ユーザーをログインさせる（ステップＳ２０２）。ＣＰＵ１００は、操作パネル１６０を介してログインしたユーザー（以下「認証ユーザー」とも称す。）から所定の画像データを送信するための送信設定を受け付けたか否かを判断する（ステップＳ２０４）。
【００８９】
ＣＰＵ１００は、送信設定を受け付けていない場合には（ステップＳ２０４においてＮＯの場合）、ステップＳ２０４の処理を繰り返す。これに対して、ＣＰＵ１００は、送信設定を受け付けた場合には（ステップＳ２０４においてＹＥＳの場合）、人体通信を介して認証ユーザーのユーザー情報（認証ユーザー情報）に関連付けられた端末装置２０が検出されたか否かを判断する（ステップＳ２０６）。より具体的には、ＣＰＵ１００は、通信インターフェイス１２０およびアンテナ４０を介して、認証ユーザーが携帯している端末装置２０から送信された端末装置２０の宛先情報を取得する。そして、ＣＰＵ１００は、取得した認証ユーザー情報と、宛先情報とに基づいて、メモリー１１０を参照して、認証ユーザーに関連付けられている端末装置２０が検出されたか否かを判断する。ここで、例えば、当該端末装置２０が検出されない場合としては、認証ユーザーが自分に関連付けられた端末装置２０を携帯していない場合や、認証ユーザーがそもそも端末装置２０を携帯していない場合などである。
【００９０】
当該端末装置２０が検出されない場合には（ステップＳ２０６においてＮＯの場合）、ＣＰＵ１００は、後述するステップＳ２１８以降の処理を実行する。
【００９１】
これに対して、当該端末装置２０が検出された場合には（ステップＳ２０６においてＹＥＳの場合）、ＣＰＵ１００は、操作パネル１６０のディスプレイに当該端末装置２０の宛先情報を表示する（ステップＳ２０８）。
【００９２】
ＣＰＵ１００は、ユーザーインターフェイス画面１０００のような画面で操作パネル１６０を介して認証ユーザーから宛先の選択を受け付けたか否かを判断する（ステップＳ２１０）。
【００９３】
ＣＰＵ１００は、当該選択を受け付けていない場合には（ステップＳ２１０においてＮＯの場合）、ステップＳ２１０の処理を繰り返す。ＣＰＵ１００は、当該選択を受け付けた場合には（ステップＳ２１０においてＹＥＳの場合）、選択された宛先を画像データを送信する宛先として設定する（ステップＳ２１２）。ＣＰＵ１００は、ユーザーインターフェイス画面１１００のような画面で操作パネル１６０を介して認証ユーザーから画像データの送信指示を受け付けたか否かを判断する（ステップＳ２１４）。
【００９４】
ＣＰＵ１００は、認証ユーザーから送信指示を受け付けていない場合には（ステップＳ２１４においてＮＯの場合）、ステップＳ２１４の処理を繰り返す。これに対して、ＣＰＵ１００は、認証ユーザーから送信指示を受け付けた場合には（ステップＳ２１４においてＹＥＳの場合）、通信インターフェイス１２０およびアンテナ４０を介して、宛先に対応する、認証ユーザーが携帯した端末装置２０に画像データを送信する（ステップＳ２１６）。そして、ＣＰＵ１００は、処理を終了する。
【００９５】
次に、ステップＳ２１８からの処理について説明する。認証ユーザー情報に関連付けられた端末装置２０が存在しない場合には（ステップＳ２０６においてＮＯの場合）、ＣＰＵ１００は、認証ユーザーから、自分に関連付けられた端末装置２０への画像データの送信指示を受け付けたか否かを判断する（ステップＳ２１８）。すなわち、ＣＰＵ１００は、事前に、自分に関連付けられた端末装置２０への画像データの送信操作を行なっておくかを認証ユーザーに確認する処理を行なう。ＣＰＵ１００は、認証ユーザーから送信指示を受け付けていない場合には（ステップＳ２１８においてＮＯの場合）、ステップＳ２１８の処理を繰り返す。なお、このとき、ＣＰＵ１００は、処理を終了してもよい。これに対して、ＣＰＵ１００は、認証ユーザーから送信指示を受け付けた場合には（ステップＳ２１８においてＹＥＳの場合）、画像データの送信を保留し、その他の所定の作業内容（コピーなどのジョブ）が終了すると、認証ユーザーの作業内容（送信保留したこと）をメモリー１１０に記憶してログアウトさせる（ステップＳ２２０）。
【００９６】
次に、ＣＰＵ１００は、ユーザーがアンテナ４０の上に立ったとき、人体通信を介してユーザー情報を取得し、ユーザーをログインさせる（ステップＳ２２２）。そして、ＣＰＵ１００は、新たにログインしたユーザーにおける、メモリー１１０に記憶された作業内容に基づいて、過去に画像データの送信指示をした結果、当該画像データの送信が保留されているか否かを判断する（ステップＳ２２４）。当該画像データの送信が保留されていない場合には（ステップＳ２２４においてＮＯの場合）、ＣＰＵ１００は、ステップＳ２２４からの処理を繰り返す。
【００９７】
これに対して、当該画像データの送信が保留されている場合には（ステップＳ２２４においてＹＥＳの場合）、ＣＰＵ１００は、人体通信を介して認証ユーザーに関連付けられている端末装置２０が検出されたか否かを判断する（ステップＳ２２６）。すなわち、ＣＰＵ１００は、認証ユーザーが自分に関連付けられた端末装置２０を携帯して、アンテナ４０の上に立ったか否かを判断する。
【００９８】
当該端末装置２０が検出されない場合には（ステップＳ２２６においてＮＯの場合）、ＣＰＵ１００は、ステップＳ２２０からの処理を繰り返す。すなわち、ＣＰＵ１００は、画像データの送信を保留した状態を維持する。これに対して、当該端末装置２０が検出された場合には、（ステップＳ２２６においてＹＥＳの場合）、ＣＰＵ１００は、当該端末装置２０に送信が保留されていた画像データを送信する（ステップＳ２２８）。なお、ユーザーが複数の端末装置２０を携帯してアンテナ４０上に立った場合には、その複数の端末装置２０のうち、ユーザーに関連付けられている端末装置２０にのみ、送信が保留されていた画像データが送信される。また、このときユーザーに関連付けられた端末装置２０が複数存在する場合には、その中から、送信が保留された画像データの送信先を選択し、選択された端末装置２０に当該データを送信する形態であってもよい。
【００９９】
上記において、端末装置２０がネットワーク６０に接続されている場合には、ＣＰＵ１００は、ステップＳ２１６およびステップＳ２２８における送信処理を、ネットワーク６０を介して実行してもよい。
【０１００】
動作例（その２）によると、携帯された端末装置２０であって、認証ユーザーに関連付けられた端末装置２０が検出されなかった場合には、画像データの送信が保留される。そして、画像データの送信を指示したユーザーと同一のユーザーによってログインされており、かつ認証ユーザーが自分に関連付けられている端末装置２０を携帯していれば、当該送信が保留された画像データが、当該端末装置２０に送信される。すなわち、所定の端末装置２０が、送信指示したユーザーおよび別のユーザーの両方に関連付けられている場合でも、別のユーザーがログインしたとしても、送信が保留された画像データが所定の端末装置２０に送信されることはない。したがって、よりセキュリティを向上させることが可能となる。
【０１０１】
＜Ｅ．その他の実施の形態＞
上記の実施の形態では、マットタイプ式のアンテナを利用して、画像形成装置と各装置との間で人体通信を行なう場合について説明したが、これに限られない。例えば、画像形成装置本体に、人体通信センサーが設置され、当該センサーに接触等することにより人体通信が行なわれる場合であってもよい。
【０１０２】
コンピューターを機能させて、上述のフローチャートで説明したような制御を実行させるプログラムを提供することもできる。このようなプログラムは、コンピューターに付属するフレキシブルディスク、ＣＤ−ＲＯＭ（Compact  Disk  Read  Only  Memory）、ＲＯＭ、ＲＡＭおよびメモリーカードなどの一時的でないコンピューター読取り可能な記録媒体にて記録させて、プログラム製品として提供することもできる。あるいは、コンピューターに内蔵するハードディスクなどの記録媒体にて記録させて、プログラムを提供することもできる。また、ネットワークを介したダウンロードによって、プログラムを提供することもできる。
【０１０３】
プログラムは、コンピューターのオペレーティングシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本実施の形態にかかるプログラムに含まれ得る。
【０１０４】
また、本実施の形態にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本実施の形態にかかるプログラムに含まれ得る。
【０１０５】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【０１０６】
１  画像形成システム、１０  画像形成装置、２０  端末装置、３０  通信装置、４０  アンテナ、５０  通信ケーブル、６０  ネットワーク、１００，２００，３００  ＣＰＵ、１０２  ユーザー情報取得部、１０３  検出部、１０４  表示制御部、１０５  通信部、１０６  端末情報取得部、１０７  認証部、１１０，２１０，３１０  メモリー、１２０  通信インターフェイス、１３０  スキャナー、１４０  プリンター、１５０，２３０  ネットワークインターフェイス、１６０  操作パネル、２２０  ディスプレイ、２４０，３２０  通信ユニット、２５０  タッチパネル。
【図１】
2014003420.tif 000003
【図２】
2014003420.tif 000004
【図３】
2014003420.tif 000005
【図４】
2014003420.tif 000006
【図５】
2014003420.tif 000007
【図６】
2014003420.tif 000008
【図７】
2014003420.tif 000009
【図８】
2014003420.tif 000010
【図９】
2014003420.tif 000011
【図１０】
2014003420.tif 000012
【図１１】
2014003420.tif 000013
【図１２】
2014003420.tif 000014